(57)【要約】【課題】設置固定方法の多様化、各種の瓦屋根に対する適応性の向上や多様化を図る。【解決手段】瓦屋根上設置物品を支持する支持固定金具10である。その本体部が下方に位置する固定部11と上方に位置する支持部12との２つの部材からなる。固定部11は、その基端側が屋根下地材に固定される固定面部11bを有し、この固定面部11bから上方に起立する起立部11kを経て屋根の流れ方向に折曲する先端面部11tを有して瓦の間から外部に露出し、その先端面部11tの下面にはボルト等の螺子頭部15hが位置する凹所11hが形成されている。支持部12は、前記固定部11の先端面部12tとボルト・ナット等の螺子15によって相互に連結固定される連結面部12bと、この連結面部12bから上方に起立する起立部12kを経て屋根の流れ方向に折曲して形成される支持面部12sとから成る。【選択図】図１
2015151775.tif 000002
【特許請求の範囲】
【請求項１】
瓦屋根上設置物品を支持する架台等の支持固定部材を支持し固定できる支持固定金具であって、
その本体部が下方に位置する固定部と上方に位置する支持部との２つの部材からなり、
前記固定部は、その基端側が屋根下地材に固定される固定面部を有し、この固定面部から上方に起立する起立部を経て屋根の流れ方向に折曲する先端面部を有して瓦の間から外部に露出し、その先端面部の下面にはボルト等の螺子頭部が位置する凹所が形成され、
前記支持部は、前記固定部の先端面部とボルト・ナット等の螺子によって相互に連結固定される連結面部と、この連結面部から上方に起立する起立部を経て屋根の流れ方向に折曲して形成される支持面部とから成り、
これにより、前記固定部の固定面部を屋根下地材に固定し、前記固定部の先端面部と前記支持部の連結面部との高さを前記螺子により調整して固定し、支持部の支持面部上に瓦屋根上設置物品を支持固定するための支持固定部材を固定できることを特徴とする瓦屋根上設置物品用の支持固定金具。
【請求項２】
前記支持部の連結面部を、支持部の一方端部に設け、起立部を経て支持面部が他方端部に形成されていることを特等とする請求項１に記載の瓦屋根上設置物品用の支持固定金具。
【請求項３】
前記支持部の連結面部を、支持部の中央部に設け、連結面部の両端に起立部を設けて支持面部が両端部に形成されていることを特徴とする請求項１に記載の瓦屋根上設置物品用の支持固定金具。
【請求項４】
前記固定部の先端面部に上方に起立する段部を設けて当該先端部に前記螺子頭部が位置する凹所を形成したことを特徴とする請求項１乃至３の何れか１項に記載の瓦屋根上設置物品用の支持固定金具。
【請求項５】
前記支持部の支持面部には螺子挿通孔が設けられ、この螺子挿通孔が支持部の長手方向に長い長孔に形成されていることを特徴とする請求項１乃至４の何れか１項に記載の瓦屋根上設置物品用の支持固定金具。
【請求項６】
前記支持部の支持面部の両側側縁部に上方に起立する起立縁部をそれぞれ設け、当該支持面部上に載置される瓦屋根上設置物品の支持固定部材をガイドできるようにしたことを特徴とする請求項１乃至５の何れか１項に記載の瓦屋根上設置物品用の支持固定金具。
【請求項７】
前記固定部の固定面部を屋根下地材に固定するために複数の螺子挿通孔を設け、これら螺子挿通孔の周縁部を上方に膨出して凸部を設け、これにより雨水等の浸入を防止できるようにしたことを特徴とする請求項１乃至６の何れか１項に記載の瓦屋根上設置物品用の支持固定金具。
【請求項８】
前記凸部の裏面に形成された窪み部に防水パッキン等の防水用シーリング部材を設けたことを特徴とする請求項７に記載の瓦屋根上設置物品用の支持固定金具。
【発明の詳細な説明】
【技術分野】
【０００１】
本発明は、各種の瓦屋根上にソーラーパネル（太陽電池パネル／太陽電池モジュール）等の屋根上設置物品を支持し固定する架台等の支持固定部材を支持し固定する支持固定金具に関するものである。
【背景技術】
【０００２】
従来のこの種の支持固定金具としては、金属製帯状板材を所定形状に折曲したものからなり、屋根の流れ方向に葺設された上下の瓦間に挿入され、その基端側で棟側の上方の瓦の下方に螺着される固定部を有し、この固定部から上方に折曲する第１折曲部を設けて斜め上方に延長し、その後この第１折曲部から適宜距離延長して第２折曲部を介して流れ方向に折曲されて、前記瓦間から外部に露出し、その後更に上方に第３折曲部を介して延長し、最後に逆方向の基端側に向かって第４折曲部を介して流れ方向上向きに延長して支持部が形成されたものである。
この先端部の支持部がソーラーパネル等の屋根上設置物品を支持する架台を支持し、固定することができるものである。
【０００３】
下記特許文献１に記載の「太陽電池パネル取付け架台」にあっては、太陽電池パネル取付け架台の組み付け及び該架台への太陽電池パネルの据え付けを容易にすることをその課題とするものである。
この文献中に記載の架台支持具８が本願発明に係る支持固定金具と同種物品であり、その構成は、上に記載した支持固定金具と同様の構成を有するものである。
【０００４】
図６は、上記特許文献１に記載された架台支持具（支持固定金具）８を示す断面説明図である。
この架台支持具８は、屋根の流れ方向Ｙに葺設された瓦Ｔ１、Ｔ２の間から外部に露出するように設置されるものである。
その本体部は鋼製帯板を適宜折曲して形成したものからなり、屋根下地の補強板Ｓに固定される固定部８ａの先端側に第１折曲部Ｆ１を設けて上方に延長し、その後第２折曲部Ｆ２により瓦Ｔ１の上面に沿うように折曲して瓦Ｔ１、Ｔ２の間から外部に延長し、その後第３折曲部Ｆ３で上方に起立して延長し、最後に第４折曲部Ｆ４にて今度は逆に基端側に向かって折曲し、流れ方向Ｙの上向きに延長して支持部８ｂを形成したものである。
【０００５】
基端側の固定部８ａは螺子により補強板Ｓに固定され、先端側の支持部８ｂは、ソーラーパネルＰの架台となる縦方向（流れ方向Ｙ）に平行に配列される縦桟部材９を載置してボルト・ナットにより固定することができる。
この支持部８ｂは、第４折曲部Ｆ４から基端側に、即ち固定部８ａ側に折曲されて延長されたものである。
この従来の架台支持具８においては、例えば台風などの強風に煽られて、ソーラーパネルの下面から上方に向かう負荷が掛かった際には、その第１折曲部Ｆ１に負荷される力により、その第１折曲部Ｆ１が損傷を受ける危険性があったのである。
【０００６】
下記特許文献２に記載の「太陽電池パネル取付け架台」にあっても、その架台支持具の構成は上記特許文献１に記載のものと同様であるが、その発明の解決すべき課題は、太陽電池パネルと架台との電気的接続を簡単かつ確実に実現することにあった。
下記特許文献３に記載の「瓦屋根上設置物品用架台の支持金具」にあっては、本願出願人が上記特許文献１に係る発明の欠点である第１折曲部Ｆ１の問題点を解決すべく当該支持固定金具を改良したものであった。
【先行技術文献】
【特許文献】
【０００７】
【特許文献１】特開２００７−２１１４３４号公報
【特許文献２】特開２００７−２１１４３５号公報
【特許文献３】特開２０１３−６８０４７号公報
【発明の概要】
【発明が解決しようとする課題】
【０００８】
上記従来例である特許文献３に記載の発明では、それ以前のものの強度不足を解消することをその目的としていたが、本発明においては、その支持固定金具の構成及び構造を改良することにより、設置固定方法の多様化、各種の瓦屋根に対する適応性の向上や多様化を図ることをその第一の課題としている。
勿論、この構成及び構造の改良によってもその強度が維持されることもその課題となる。
【課題を解決するための手段】
【０００９】
上記課題を解決するために、本発明の第１のものは、瓦屋根上設置物品を支持する架台等の支持固定部材を支持し固定できる支持固定金具であって、その本体部が下方に位置する固定部と上方に位置する支持部との２つの部材からなり、前記固定部は、その基端側が屋根下地材に固定される固定面部を有し、この固定面部から上方に起立する起立部を経て屋根の流れ方向に折曲する先端面部を有して瓦の間から外部に露出し、その先端面部の下面にはボルト等の螺子頭部が位置する凹所が形成され、前記支持部は、前記固定部の先端面部とボルト・ナット等の螺子によって相互に連結固定される連結面部と、この連結面部から上方に起立する起立部を経て屋根の流れ方向に折曲して形成される支持面部とから成り、これにより、前記固定部の固定面部を屋根下地材に固定し、前記固定部の先端面部と前記支持部の連結面部との高さを前記螺子により調整して固定し、支持部の支持面部上に瓦屋根上設置物品を支持固定するための支持固定部材を固定できることを特徴とする瓦屋根上設置物品用の支持固定金具である。
【００１０】
本発明の第２のものは、上記第１の発明において、前記支持部の連結面部を、支持部の一方端部に設け、起立部を経て支持面部が他方端部に形成されていることを特等とする瓦屋根上設置物品用の支持固定金具である。
【００１１】
本発明の第３のものは、上記第１の発明において、前記支持部の連結面部を、支持部の中央部に設け、連結面部の両端に起立部を設けて支持面部が両端部に形成されていることを特徴とする瓦屋根上設置物品用の支持固定金具である。
【００１２】
本発明の第４のものは、上記第１乃至第３の何れかの発明において、前記固定部の先端面部に上方に起立する段部を設けて当該先端部に前記螺子頭部が位置する凹所を形成したことを特徴とする瓦屋根上設置物品用の支持固定金具である。
【００１３】
本発明の第５のものは、上記第１乃至第４の何れかの発明において、前記支持部の支持面部には螺子挿通孔が設けられ、この螺子挿通孔が支持部の長手方向に長い長孔に形成されていることを特徴とする瓦屋根上設置物品用の支持固定金具である。
【００１４】
本発明の第６のものは、上記第１乃至第５の何れかの発明において、前記支持部の支持面部の両側側縁部に上方に起立する起立縁部をそれぞれ設け、当該支持面部上に載置される瓦屋根上設置物品の支持固定部材をガイドできるようにしたことを特徴とする瓦屋根上設置物品用の支持固定金具である。
【００１５】
本発明の第７のものは、上記第１乃至第６の何れかの発明において、前記固定部の固定面部を屋根下地材に固定するために複数の螺子挿通孔を設け、これら螺子挿通孔の周縁部を上方に膨出して凸部を設け、これにより雨水等の浸入を防止できるようにしたことを特徴とする瓦屋根上設置物品用の支持固定金具である。
【００１６】
本発明の第８のものは、上記第７の発明において、前記凸部の裏面に形成された窪み部に防水パッキン等の防水用シーリング部材を設けたことを特徴とする瓦屋根上設置物品用の支持固定金具である。
【発明の効果】
【００１７】
本発明の第１のものにおいては、当該支持固定金具の本体部がツーピースから構成され、即ち、本体部の下方に位置する固定部とその上方に位置する支持部とから構成され、これらの固定部の先端面部と支持部の連結面部とがボルト・ナット等の螺子によって相互に連結固定されていることを特徴としている。
これにより、本発明においては、固定面部と支持面部との高さの調整が可能となるのである。つまり、瓦屋根の各種の形態に適合させて、或いは屋根上設置物品の固定高さをも調整することが出来ることとなるのである。
【００１８】
従来のタイプのものにおいては、この高さ調整は不可能であり、そのレベル調整としての不陸調整についてもレベル調整板の設定等によりレベル調整を行っていたが、本発明においてはこれが不要となり、部材の低減化にも寄与するものとなる。
【００１９】
本発明の第２のものにおいては、支持部の形態をより限定したものであり、当該支持部の連結面部を支持部の一方端に設け、起立部を経てその他方端に支持面部を設けたものである。
この支持部の態様により、支持部が固定部の先端面部に螺着されるため、その支持面部の向きを自在に変更することが出来るものとなる。
即ち、この支持部の支持面部を屋根の流れ方向の上向きにも、或いは、反対側の下向きにも適宜必要に応じて設定し、固定することが出来るのである。
或いは、現実の施工に際しては想定し難いが、螺子による固定のため、支持部の支持面部の方向をその３６０度何れの方向にも設定し固定することも可能なものとなるのである。
【００２０】
本発明の第３のものにおいては、上記第２の発明と同様に、支持部の形態を限定したものであって、当該支持部の連結面部を支持部の中央部に設けたものである。
この態様によると、当該支持部がその中央の連結面部で螺子により下方の固定部に固定されるため、その中央部で支持されることとなり、その両側に位置する２つの支持面部によって極めて良好に屋根上設置物品の支持固定部材を支持し、固定することができることとなるのである。
勿論その高さ調整は、上記第２発明と同様に、調整可能であり、レベル調整板も不要となる。
【００２１】
本発明の第４のものにおいては、上記固定部の先端面部の下面に設けた凹所を限定したものであって、即ち、固定部の先端面部に上方に起立する段部を設けて当該先端部に前記螺子頭部が位置する凹所を形成したことを特徴とするものであり、この構成を採用することにより容易に凹所を形成することができる。
【００２２】
本発明の第５のものにおいては、支持部の支持面部に螺子挿通孔を設け、この螺子挿通孔を支持面部の長手方向に長い長孔に形成したことを特徴とする。
これによって、本発明に係る支持固定金具によって支持固定される部材の取付位置を屋根の流れ方向に当該長孔の所定範囲内で調整し変更することができることとなる。
【００２３】
本発明の第６のものにおいては、支持部の支持面部の両側側縁部に上方に起立する起立縁部をそれぞれ設け、当該支持面部上に載置される屋根上設置物品の支持固定部材をその長手方向にガイドできるようにしたことを特徴とするものである。
【００２４】
本発明の第７のものにおいては、固定部の固定面部を屋根下地材に固定するために設けた複数の螺子挿通孔の周縁部を上方に膨出して凸部を設け、これにより雨水等の浸入を防止し、雨漏り対策を行ったものである。
水は上から下に流れるため、螺子挿通孔の開口部の位置を他よりも高い位置にして、防水効果を向上させたものである。
【００２５】
本発明の第８のものにおいては、上記第７の発明と同様の効果を発揮し、その効果をより高めたものである。
即ち、前記固定面部の螺子挿通孔の周縁部の凸部の裏面には窪み部が生じるため、この窪み部に防水パッキンやその他の防水用シーリング部材を設備したものである。
【図面の簡単な説明】
【００２６】
【図１】本発明の支持固定金具に係る第１実施形態を示しており、その（Ａ）が斜視図、その（Ｂ）が側面図、その（Ｃ）が上方に位置する支持部の向きを変更した状態を示す斜視図である。
【図２】上記第１実施形態に係る支持固定金具の使用状態を示す斜視図である。
【図３】上記図２に記載した支持固定金具に屋根上設置物品を支持固定するための支持固定部材を支持固定した状態を示しており、その（Ａ）が斜視説明図、その（Ｂ）が側面説明図である。
【図４】上記第１実施形態に係る支持固定金具を瓦屋根に組付け太陽電池モジュールを支持した状態を示す組付説明図である。
【図５】本発明に係る第２実施形態に係る支持固定金具を図示しており、その（Ａ）が斜視図、その（Ｂ）が側面図である。
【図６】従来の上記特許文献１に記載された架台支持具（支持固定金具）を示す断面説明図である。
【発明を実施するための形態】
【００２７】
以下、添付の図面と共に本発明の実施形態について説明する。
図１は、本発明の支持固定金具に係る第１実施形態を示しており、その（Ａ）が斜視図、その（Ｂ）が側面図、その（Ｃ）が上方に位置する支持部の向きを変更した状態を示す斜視図である。
【００２８】
本実施形態に係る瓦屋根上設置物品用の支持固定金具１０は、その本体部が下方に位置する固定部１１と、その上方に位置する支持部１２の２つの部分から成る。
本体部の下方に位置する固定部１１は、鋼製の帯状板材を適宜折曲したものから形成され、その基端側（屋根の流れ方向Ｙの上側）の固定面部１１ｂと、この固定面部１１ｂの先端側の起立部１１ｋと、その先端側の先端面部１１ｔとから構成される。
【００２９】
先端面部１１ｔには、凹所１１ｈが設けられ、この凹所１１ｈにボルト１５の頭部が位置することとなる。
この凹所１１ｈは、先端面部１１ｔの適宜位置に上方に起立する段部１１ｄを設けることによって形成され、この凹所１１ｈの略中央部分に螺子挿通孔が形成されている。
これによって、（Ｂ）図から解る通り、先端面部１１ｔの下面とボルト頭部１５ｈの下面とがほぼ面一状態となるのである。
【００３０】
本体部の上方に位置する支持部１２も、鋼製の帯状板材を適宜折曲したものから形成され、その基端側（図中左側／屋根の流れ方向Ｙの下側）の連結面部１２ｂと、屋根流れ方向Ｙの上側に（Ａ図）設けた上方に起立する起立部１２ｋと、更にその上側に設けた支持面部１２ｓとから成る。
連結面部１２ｂの略中央部には螺子挿通孔が設けられボルト１５の軸部が挿通できる。
【００３１】
また支持面部１２ｓの長手方向には長孔１２ｈを設けており、この長孔１２ｈを介してボルト・ナットにより屋根上設置物品の支持固定部材を固定することができる。
この際に、長孔１２ｈは、長手方向に長く穿設されているために、上記支持固定部材の固定位置をその長手方向に少し調整することができる。
【００３２】
更に、この支持面部１２ｓの両側の側縁部には、上方に起立する起立縁部１２ｇが設けられており、この起立縁部１２ｇ、１２ｇは、支持固定される架台等の屋根上設置物品を支持固定する支持固定部材の両側を適宜案内することができるものである。
【００３３】
以上の構成により、固定部１１の先端面部１１ｔの螺子挿通孔にボルト１５の軸部を下方から挿通し、上方よりナット１６ａよって螺着して固定し、次にナット１６ｂを上方より適宜位置にまで螺入し、その後、ボルト１５の軸部に支持部１２の連結面部１２ｂに設けた螺子挿通孔を挿通させ、ナット１６ｃを螺着して固定することにより、支持部１２の支持面部１２ｓが所定高さ位置に固定され、支持固定金具１０が完成する（Ｂ図）。
【００３４】
この支持固定金具１０を使用する際には、固定部１１の基端側の固定面部１１ｂに設けられた複数の螺子挿通孔を介して螺子により屋根下地材に螺着し固定する。
この固定面部１１ｂの屋根下地材への固定に際しては、その屋根下地材の上に補強板材を介して螺着し固定することが好ましい。
【００３５】
そして、図１（Ａ）の形態のように固定部１１と支持部１２とを固定することにより、その支持面部１２ｓは、屋根の流れ方向Ｙの上側に向かって延長するように配設され、図１（Ｂ）の形態のように固定部１１と支持部１２とを固定することにより、その支持面部１２ｓは、屋根の流れ方向Ｙの上側に向かって延長するように配設されることとなるのである。
この支持面部１２ｓの上には、例えばソーラーパネルを支持し固定する架台の縦桟や、横桟を支持する固定部材等を支持し固定することができることとなるのである。
【００３６】
図１（Ｃ）に図示した支持固定金具１０においては、その支持部１２の支持面部１２ｓを屋根の流れ方向Ｙの下向きに延長させた状態を図示したものである。
このように本発明においては、支持固定金具１０を２つの部材から構成した関係上、固定部１１は、同じ形態で屋根下地材に固定されるが、この固定部１１に連結固定される支持部１２の支持面部１２ｓは、屋根の流れ方向Ｙの上向き又は下向きの何れの向きにも変更して固定できるものである。
【００３７】
即ち、本発明の第１実施形態に係る支持固定金具１０においては、支持部１２の支持面部１２ｓの高さ及び方向を適宜必要に応じて変更して取り付け固定することができることとなるのである。
これが本発明の第一の特徴部分となる。
【００３８】
尚、上記した通り、上記固定部１１の固定面部１１ｂを屋根下地材に固定するために複数の螺子挿通孔を設けているが、これら螺子挿通孔の周縁部を上方に膨出して凸部を設け、これにより雨水等の浸入を防止できるようにすることが好ましい。
そして、これら凸部の裏面に形成された窪み部に防水パッキン等の防水用シーリング部材を充填することも極めて好ましいこととなる。上記同様に、防水効果を高めるためである。
【００３９】
図２は、上記第１実施形態に係る支持固定金具の使用状態を示す斜視図である。
この図においては、和瓦から成る屋根に本発明に係る支持固定金具が取り付け固定されている。
和瓦Ｋは、屋根の流れ方向Ｙにその手前側（図中左側／軒側）がその下方に位置する和瓦の上に、その上端部分がその上方に位置する和瓦の下に順次重ねられて配設される。
同様に、和瓦Ｋの図中左上側は、隣接する和瓦の上に、他方図中右下側は、隣接する和瓦の下に重ね合わされて順次配設される。
【００４０】
このように縦横に配設された和瓦の内の１枚の和瓦Ｋの下面の屋根下地材の上に補強板材Ｈを配設し固定し、この補強板材Ｈを介して支持固定金具１０の固定部１１の固定面部１１ｂを屋根下地材に螺着し固定する。
固定部１１の先端面部１１ｔは、和瓦Ｋの下面から、下方に隣接する和瓦の上面に沿って外部に露出して延長する。
【００４１】
固定部１１の先端面部１１ｔの凹所１１ｈの下方から螺子１５が挿通され、ナット１６を介して固定部の先端面部１１ｔと支持部１２の連結面部１２ｂとが連結固定される。
これにより、支持部１２の支持面部１２ｓの高さが決定され、及び、その支持面部１２ｓの方向も決定される。
この図２においては、その支持面部１２ｓは、屋根の流れ方向Ｙの上向きに設置固定されている。
【００４２】
この支持固定金具１０の支持部１２の支持面部１２ｓ上に屋根上設置物品を支持固定するための支持固定部材がボルト・ナット等の螺子２５により螺着固定される。
図では、既に螺子２５が螺着された状態に描かれているが、この螺子２５を用いて、両者が螺着固定されるのである。
【００４３】
図３は、上記図２に記載した支持固定金具に屋根上設置物品を支持固定するための支持固定部材を支持固定した状態を示しており、その（Ａ）が透視斜視説明図、その（Ｂ）が側面説明図である。
この図で支持固定される支持固定部材３０は、ソーラーパネルを支持する横桟を支持固定するための支持固定部材である。
【００４４】
この支持固定部材３０は、略Ｃ型チャンネル材の形態を有しており、その開口部を上方に配置して固定されている。
その長手方向長さは略３００ｍｍ程度のもので、その底面部に設けた螺子穴を利用して本発明に係る支持固定金具１０の支持部１２と螺着され固定される。
【００４５】
この支持固定部材３０に図示省略した長尺状の横桟が掛け渡され、この横桟が屋根の流れ方向と直交する方向に複数列配列されて、これらの横桟間にソーラーパネルが固定されるのである。
勿論、本発明に係る支持固定金具１０に上記支持固定部材３０でなく、長尺状の縦桟を固定して、ソーラーパネルを設置することもできる。
【００４６】
このようにして、屋根上設置物品の支持固定部材３０が本発明に係る支持固定金具１０によって支持され固定されるのであるが、本発明に係る支持固定金具１０の固定部１１と支持部１２との構成により、支持部１２の高さ調節が可能で、支持部１２の支持面部１２ｓの方向も屋根の流れ方向Ｙの上向き又は下向きへと変更可能に固定することができるものとなるのである。
【００４７】
更に換言すると、本発明に係る支持固定金具１０は、屋根の流れ方向Ｙに所定間隔を保持して複数個一列に固定し、この一列を屋根の流れ方向と直交する方向（横方向）に複数列配列して縦横に配列固定し、この支持固定金具によって上記支持固定部材３０を固定して、これらに横桟を複数段横方向に（流れ方向と直交する方向に）平行に配列することができるのであり、これら横方向に平行に複数段配列した横桟にソーラーパネルを縦横に配列して固定することができるものである。
【００４８】
図４は、上記第１実施形態に係る支持固定金具を瓦屋根に組付け太陽電池モジュールを支持した状態を示す組付説明図である。
この図からよく解る通り、本発明に係る支持固定金具の固定部１１の固定面部を屋根下地材Ｓに補強板材Ｈを介して螺子によって固定し、支持部１１の先端面部を瓦Ｋの間から外部に延長させ、その先端面部の螺子１５によって上方の支持部１２を固定する。
【００４９】
この際に、支持部１２の高さ調整を行うことができる。
次に、この支持部１２の支持面部に螺子２５により、太陽電池モジュール等の枠部Ｍを支持固定できる支持固定部材３０を螺着し固定する。
そして、この支持固定部材３０に横桟３４が横桟固定部３１、３２、３３によって固定されるのである。
太陽電池モジュールの枠部Ｍは、この横桟３４によって固定されることとなる。
【００５０】
図５は、本発明に係る第２実施形態に係る支持固定金具を図示しており、その（Ａ）が斜視図、その（Ｂ）が側面図である。
この第２実施形態においては、固定部１１は、上記第１実施形態のものと同様であるが、支持部２２が上記第１実施形態と異なる。
【００５１】
即ち、固定部１１は鋼製板材を折曲したものからなり、図中右側に位置する固定面部１１ｂと、これに続く起立部１１ｋ、この起立部１１ｋから図中左側の先端の先端面部１１ｔとからなり、この先端面部１１ｔに凹所１１ｈが段部１１ｄを介して形成されている。
この先端面部１１ｔの凹所１１ｈに螺子１５の軸部を下方向から挿通し、ナット１６ａ１６ｂ、１６ｃを利用して適宜高さ調整を行い支持部２２を固定できる。
【００５２】
支持部２２も鋼製板材を折曲したものからなり、その中央部に位置する連結面部２２ｂとその両側の起立部２２ｋ、２２ｋを介して支持面部２２ｓ、２２ｓが両端部に形成されたものから成る。
従って、この第２実施形態においては、その連結面部２２ｂが中央に設けられている関係上、その支持面部２２ｓ、２２ｓは、１８０度回転させても同じ形態となる。
【００５３】
即ち、その支持面部２２ｓを屋根の流れ方向の反対側に向けても同一形態を呈するが、この支持面部２２ｓを略９０度回転すれば、その支持部２２の方向は、屋根の流れ方向と
直交する横方向に配設し固定することも可能となる。
更に、支持面部２２ｓの両側側縁部が上方に起立され、起立縁部２２ｇが設けられている点も上記第１実施形態と同じである。
【００５４】
この起立縁部２２ｇは、支持固定される屋根上固定物品の支持固定部材をガイドするために設けられている。
また、この実施形態では、支持面部２２ｓに設けた螺子挿通孔は、丸孔にて形成しているが、この丸孔を長手方向に長い長孔に形成するのも自由である。
【００５５】
固定部１１の固定面部１１ｂに設けられている螺子挿通孔についても、上記第１実施形態と同様に、その螺子挿通孔の周縁部を上方に膨出して凸部を形成し、これにより雨水等の侵入を防止できるようにすることが好ましい。
そして、これらの凸部の裏面に形成された窪み部内に防水パッキン等の防水用シーリング部材を充填することも極めて好ましいことである。
【００５６】
以上、本発明の実施形態について説明したが、以下の通りその形態を種々変更することができる。
まず、本発明に係る支持固定金具のサイズは、適宜設定することができる。
【００５７】
その形状についても、上記実施形態では固定部として帯状板材を折曲したものを使用したが、このような帯状板材でなくともよく、要は、基端側に固定面部を有し、この固定面部の先端側に起立部を設け、この起立部の先端に先端面部を形成し、この先端面部に凹所が設けられていればよいものである。
同様に、支持部においても帯状板材を折曲したものでなくともよく、その基端側又は中央部の連結面部と起立部と支持面部が設けられていればよく、その形状は自由に設計することができる。
【００５８】
固定部１１及び支持部１２を連結固定するボルトの長さも適宜自由に設計することができる。
支持部の支持面部に設けた螺子挿通用の長孔の長手方向長さも自由である。
支持面部の両側に設けた側縁起立部の高さ、及び長手方向長さも自由に設計することができる。
固定部及び支持部にそれぞれ設けられている起立部の高さも適宜設定することができる。
【００５９】
以上、本発明においては、その本体部を固定部と支持部とのツーピースに構成したことにより、支持部の支持面部の高さ及びその向きを自在に変更することができ、また簡易に組み付けることも可能な瓦屋根上設置物品用の支持固定金具を提供することができた。  
【符号の説明】
【００６０】
１０、２０  支持固定金具
１１  固定部
１１ｂ  固定面部
１１ｋ  起立部
１１ｔ  先端面部
１１ｄ  段部
１１ｈ  凹所
１２、２２  支持部
１２ｂ、２２ｂ  連結面部
１２ｋ、２２ｋ  起立部
１２ｓ、２２ｓ  支持面部
１２ｇ、２２ｇ  起立縁部
１２ｈ  長孔
１５  ボルト
１５ｈ  ボルト頭部
１６、１６ａ、１６ｂ、１６ｃ  ナット
Ｈ  補強板
Ｓ  屋根下地材
Ｙ  流れ方向（屋根の）
【図１】
2015151775.tif 000003
【図２】
2015151775.tif 000004
【図３】
2015151775.tif 000005
【図４】
2015151775.tif 000006
【図５】
2015151775.tif 000007
【図６】
2015151775.tif 000008